(57)【要約】開示の実施形態は、取引文書処理に関するシステム、方法、コンピュータ可読媒体、技術、および方法論を含むことができる。ユーザは、取引を完了させるために文書を利用することができる。販売時点情報管理（ＰＯＳ）デバイスなどのユーザデバイスが、ユーザ情報を入力する、ならびに小切手の画像を取り込むのに使用され得る。ＰＯＳデバイスと通信している金融サービスサーバは、要求を文書解析サーバに転送することができる。文書が、取引で使用されるように承認されるかどうかを決定するために、文書解析サーバは、ＰＯＳデバイスから受信した情報を使用することができる。文書解析サーバは、小切手の画像から金融情報を取得することができる。文書解析サーバは、追加情報（例えば信用履歴、取引履歴等）を取得するために、ユーザ情報および金融情報を使用することができる。文書解析サーバは、さらに、取引のために文書の使用を承認する勧告を生成するのか、それとも拒否する勧告を生成するのかを決定することができる。【選択図】図１
2018530832.tif 000002
【特許請求の範囲】
【請求項１】
第１のサーバと、
第２のサーバを備え、
前記第１のサーバが、取引のための文書と関連付けられた取引解析要求を識別し、前記取引解析要求が、ユーザデバイス上に表示されたグラフィカルユーザインタフェースから受信したデータおよび前記文書の画像を含み、
前記第１のサーバが、前記受信した取引解析要求を前記第２のサーバに伝送し、
前記第２のサーバが、前記文書の前記画像からの情報を識別し、
前記第２のサーバが、前記文書が、前記文書の前記画像から取得した前記情報および前記ユーザデバイスから受信した前記データに少なくとも部分的に基づいて前記取引で使用されなければならないことを決定し、
前記第２のサーバが、前記取引解析要求への応答を生成し、前記応答が、前記取引のために前記文書を使用する勧告を含み、
前記第２のサーバが、前記取引解析要求への前記応答を前記ユーザデバイスに伝送する、システム。
【請求項２】
前記勧告が、前記支払手段に資金を供給する命令を備える、請求項１に記載のシステム。
【請求項３】
前記文書の前記画像から取得した前記情報および前記ユーザデバイスから受信した前記データに少なくとも部分的に基づいて前記取引を完了させるために、前記第２のサーバが、メッセージを前記第１のサーバに伝送することをさらに含む、請求項１に記載のシステム。
【請求項４】
前記取引解析要求が、前記ユーザデバイスと通信している第１のデバイスから、前記ユーザデバイスによって受信された情報をさらに含む、請求項１に記載のシステム。
【請求項５】
前記画像が、支払手段の画像を含む、請求項１に記載のシステム。
【請求項６】
前記ユーザデバイスから受信した前記データが、運転免許証識別子およびユーザ名の内の１つまたは複数を含有する、請求項１に記載のシステム。
【請求項７】
前記文書の前記画像からの前記情報が、取引の種類、取引の量、および取引の日付の内の１つまたは複数を含む、請求項１に記載のシステム。
【請求項８】
前記第２のサーバが、光学的文字認識（ＯＣＲ）を使用して、前記文書の前記画像からの情報を識別する、請求項１に記載のシステム。
【請求項９】
前記第２のサーバが、前記文書が、前記取引で使用されなければならないことを決定することが、前記第２のサーバが、前記ユーザと関連付けられた取引履歴を識別することをさらに含む、請求項１に記載のシステム。
【請求項１０】
前記ユーザと関連付けられた前記取引履歴が、前記ユーザと商人との間の否定的な取引、およびユーザが前記商人を支持していることを表す情報の内の少なくとも１つをさらに含む、請求項９に記載のシステム。
【請求項１１】
プロセッサによって実行されるとき、
取引のための文書と関連付けられた、受信した取引解析要求を、前記プロセッサを用いて識別することを含み、前記取引解析要求が、ユーザデバイス上に表示されるグラフィカルユーザインタフェースから受信したデータおよび前記ユーザデバイス上のカメラを使用して取り込んだ前記文書の画像を含み、
また前記文書の前記画像からの情報を、前記プロセッサを用いて識別することと、
前記文書が、前記文書の前記画像から取得した前記情報および前記ユーザデバイスから受信した前記データに少なくとも部分的に基づいて前記取引で使用されなければならないことを、前記プロセッサを用いて決定することと、
前記取引解析要求への応答を、前記プロセッサを用いて生成することを含み、前記応答が、前記取引のために前記文書を使用する勧告を含む、
さらに前記取引解析要求への前記応答を前記ユーザデバイスに、前記プロセッサを用いて送らせることを含むオペレーションを前記プロセッサに行なわせる、コンピュータ実行可能命令を記憶する、コンピュータ可読媒体。
【請求項１２】
前記取引解析要求が、前記ユーザデバイスと通信している第１のデバイスから、前記ユーザデバイスによって受信された情報をさらに含む、請求項１１に記載のコンピュータ可読媒体。
【請求項１３】
決定する前記命令が、前記取引解析要求を処理するために第１のサーバに送らせる命令をさらに含む、請求項１１に記載のコンピュータ可読媒体。
【請求項１４】
前記画像が、支払手段の画像を含む、請求項１１に記載のコンピュータ可読媒体。
【請求項１５】
前記勧告が、前記支払手段に資金を供給する命令を含む、請求項１１に記載のコンピュータ可読媒体。
【請求項１６】
前記ユーザデバイスから受信された前記データが、運転免許証識別子およびユーザ名の１つまたは複数を備える、請求項１１に記載のコンピュータ可読媒体。
【請求項１７】
前記文書の前記画像からの前記情報が、取引の種類、取引の量、および取引の日付の１つまたは複数を含む、請求項１１に記載のコンピュータ可読媒体。
【請求項１８】
前記文書の前記画像からの情報を前記識別することが、光学的文字認識（ＯＣＲ）を使用して、前記文書の前記画像からの情報を識別することをさらに含む、請求項１１に記載のコンピュータ可読媒体。
【請求項１９】
前記決定することが、前記ユーザと関連付けられた取引履歴を識別することをさらに含む、請求項１１に記載のコンピュータ可読媒体。
【請求項２０】
前記ユーザと関連付けられた前記取引履歴が、前記ユーザと商人との間の否定的な取引、およびユーザが前記商人を支持していることを表す情報の内の少なくとも１つをさらに含む、請求項１９に記載のコンピュータ可読媒体。
【発明の詳細な説明】
【技術分野】
【０００１】
関連出願
本出願は、２０１５年１０月１２日に出願された、「Ｓｙｓｔｅｍｓ  ａｎｄ  Ｍｅｔｈｏｄｓ  ｆｏｒ  Ｔｒａｎｓａｃｔｉｏｎａｌ  Ｄｏｃｕｍｅｎｔ  Ｐｒｏｃｅｓｓｉｎｇ」という名称の米国特許出願第６２／２４０，２１１号の優先権を主張し、同出願の内容を参考文献として援用する。
【背景技術】
【０００２】
背景
技術およびコンピュータ計算を改良することで、ユーザは、一般的には物理的文書の伝送および受領と関連付けられる遅延を伴わずに、文書を生成、伝送、および処理することが可能になる。ユーザは、物理的文書をスキャンする、コピーする、ファックスする、またはそれ以外の方法で取り入れて、配送または処理をより容易にかつ迅速にすることができる電子文書を生成することができる。
【発明の概要】
【課題を解決するための手段】
【０００３】
本開示の簡単な説明
本開示の例示的実施形態によれば、システムが、存在し得る。システムは、第１のサーバおよび第２のサーバを含むことができ、第１のサーバは、取引のための文書と関連付けられた取引解析要求を識別することができ、取引解析要求は、ユーザデバイス上に表示されたグラフィカルユーザインタフェースから受信したデータおよび文書の画像を含むことができ、第１のサーバは、受信した取引解析要求を第２のサーバに伝送することができ、第２のサーバは、文書の画像からの情報を識別することができ、第２のサーバは、文書が、文書の画像から取得した情報およびユーザデバイスから受信したデータに少なくとも部分的に基づいて取引で使用されなければならないことを決定することができ、第２のサーバは、取引解析要求への応答を生成することができ、応答は、取引のために文書を使用する勧告を含み、第２のサーバは、取引解析要求への応答をユーザデバイスに伝送することができる。
【０００４】
実施例は、以下の特徴の１つまたは複数を含むことができる。勧告は、支払手段に資金を供給する命令を含むことができる。第２のサーバは、文書の画像から取得した情報およびユーザデバイスから受信したデータに少なくとも部分的に基づいて取引を完了させるために、メッセージを第１のサーバに伝送することができる。取引解析要求は、ユーザデバイスと通信している第１のデバイスから、ユーザデバイスによって受信された情報をさらに含むことができる。画像は、支払手段の画像を含むことができる。ユーザデバイスから受信したデータは、運転免許証識別子およびユーザ名の内の１つまたは複数を含むことができる。文書の画像からの情報は、取引の種類、取引の量、および取引の日付の内の１つまたは複数を含むことができる。第２のサーバは、光学的文字認識（ＯＣＲ：Ｏｐｔｉｃａｌ  Ｃｈａｒａｃｔｅｒ  Ｒｅｃｏｇｎｉｔｉｏｎ）を使用して、文書の画像からの情報を識別することができる。第２のサーバは、文書が、取引で使用されなければならないことを決定することができ、ユーザと関連付けられた取引履歴を識別する第２のサーバをさらに備える。ユーザと関連付けられた取引履歴は、ユーザと商人との間の否定的な取引、およびユーザが商人を支持していることを表す情報の内の少なくとも１つをさらに含むことができる。
【０００５】
本開示の例示的実施形態によれば、非一時的コンピュータ可読媒体が、存在し得る。非一時的コンピュータ可読媒体は、プロセッサによって実行されるとき、オペレーションをプロセッサに行なわせることができるコンピュータ実行可能命令を記憶することができ、第１のサーバおよび第２のサーバを備え、第１のサーバは、取引のための文書と関連付けられた取引解析要求を識別し、取引解析要求は、ユーザデバイス上に表示されるグラフィカルユーザインタフェースから受信したデータおよび文書の画像を含み、第１のサーバは、受信した取引解析要求を第２のサーバに伝送し、第２のサーバは、文書の画像からの情報を識別し、第２のサーバは、文書が、文書の画像から取得した情報およびユーザデバイスから受信したデータに少なくとも部分的に基づいて取引で使用されなければならないことを決定し、第２のサーバは、取引解析要求への応答を生成し、応答は、取引のために文書を使用する勧告を含み、第２のサーバは、取引解析要求への応答をユーザデバイスに伝送する、
【０００６】
実施例は、以下の特徴の１つまたは複数を含むことができる。勧告は、支払手段に資金を供給する命令を含むことができる。第２のサーバは、文書の画像から取得した情報およびユーザデバイスから受信したデータに、少なくとも部分的に基づいて取引を完了させるために、メッセージを第１のサーバに伝送することができる。取引解析要求は、ユーザデバイスと通信している第１のデバイスから、ユーザデバイスによって受信された情報をさらに含むことができる。画像は、支払手段の画像を含むことができる。ユーザデバイスから受信したデータは、運転免許証識別子およびユーザ名の内の１つまたは複数を含むことができる。文書の画像からの情報は、取引の種類、取引の量、および取引の日付の内の１つまたは複数を含むことができる。第２のサーバは、光学的文字認識（ＯＣＲ）を使用して、文書の画像からの情報を識別することができる。第２のサーバが、文書が取引で使用されなければならないことを決定することができることは、第２のサーバが、ユーザと関連付けられた取引履歴を識別することをさらに含む。ユーザと関連付けられた取引履歴は、ユーザと商人との間の否定的な取引、およびユーザが商人を支持していることを表す情報の内の少なくとも１つをさらに含むことができる。
【０００７】
本開示の例示的実施形態によれば、方法が、存在し得る。方法は、第１のサーバおよび第２のサーバを含むことができ、第１のサーバは、取引のための文書と関連付けられた取引解析要求を識別し、取引解析要求は、ユーザデバイス上に表示されるグラフィカルユーザインタフェースから受信したデータおよび文書の画像を含み、第１のサーバは、受信した取引解析要求を第２のサーバに伝送し、第２のサーバは、文書の画像からの情報を識別し、第２のサーバは、文書が、文書の画像から取得した情報およびユーザデバイスから受信したデータに少なくとも部分的に基づいて取引で使用されなければならないことを決定し、第２のサーバは、取引解析要求への応答を生成し、応答は、取引のために文書を使用する勧告を含み、第２のサーバは、取引解析要求への応答をユーザデバイスに伝送する。
【０００８】
実施例は、以下の特徴の１つまたは複数を含むことができる。勧告は、支払手段に資金を供給する命令を含むことができる。第２のサーバは、文書の画像から取得した情報およびユーザデバイスから受信したデータに、少なくとも部分的に基づいて取引を完了させるために、メッセージを第１のサーバに伝送することができる。取引解析要求は、ユーザデバイスと通信している第１のデバイスから、ユーザデバイスによって受信された情報をさらに含むことができる。画像は、支払手段の画像を含むことができる。ユーザデバイスから受信したデータは、運転免許証識別子およびユーザ名の内の１つまたは複数を含むことができる。文書の画像からの情報は、取引の種類、取引の量、および取引の日付の内の１つまたは複数を含むことができる。第２のサーバは、光学的文字認識（ＯＣＲ）を使用して、文書の画像からの情報を識別することができる。第２のサーバが、文書が取引で使用されなければならないことを決定することができることは、第２のサーバが、ユーザと関連付けられた取引履歴を識別することをさらに含む。ユーザと関連付けられた取引履歴は、ユーザと商人との間の否定的な取引、およびユーザが商人を支持していることを表す情報の内の少なくとも１つをさらに含むことができる。
【０００９】
本開示の例示的実施形態によれば、装置が、存在し得る。装置は、第１のサーバおよび第２のサーバのための手段をさらに備えることができ、第１のサーバは、取引のための文書と関連付けられた取引解析要求を識別し、取引解析要求は、ユーザデバイス上に表示されるグラフィカルユーザインタフェースから受信したデータおよび文書の画像を含み、第１のサーバは、受信した取引解析要求を第２のサーバに伝送し、第２のサーバは、文書の画像からの情報を識別し、第２のサーバは、文書が、文書の画像から取得した情報およびユーザデバイスから受信したデータに少なくとも部分的に基づいて取引で使用されなければならないことを決定し、第２のサーバは、取引解析要求への応答を生成し、応答は、取引のために文書を使用する勧告を含み、第２のサーバは、取引解析要求への応答をユーザデバイスに伝送する。
【００１０】
実施例は、以下の特徴の１つまたは複数を含むことができる。勧告は、支払手段に資金を供給する命令を含むことができる。第２のサーバは、文書の画像から取得した情報およびユーザデバイスから受信したデータに、少なくとも部分的に基づいて取引を完了させるために、メッセージを第１のサーバに伝送することができる。取引解析要求は、ユーザデバイスと通信している第１のデバイスから、ユーザデバイスによって受信された情報をさらに含むことができる。画像は、支払手段の画像を含むことができる。ユーザデバイスから受信したデータは、運転免許証識別子およびユーザ名の内の１つまたは複数を含むことができる。文書の画像からの情報は、取引の種類、取引の量、および取引の日付の内の１つまたは複数を含むことができる。第２のサーバは、光学的文字認識（ＯＣＲ）を使用して、文書の画像からの情報を識別することができる。第２のサーバが、文書が取引で使用されなければならないことを決定することができることは、第２のサーバが、ユーザと関連付けられた取引履歴を識別することをさらに含む。ユーザと関連付けられた取引履歴は、ユーザと商人との間の否定的な取引、およびユーザが商人を支持していることを表す情報の内の少なくとも１つをさらに含むことができる。
【００１１】
本開示の例示的実施形態によれば、デバイスが、存在し得る。デバイスは、コンピュータ実行可能命令を記憶する少なくとも１つのメモリを有することができる。１つまたは複数のプロセッサの１つのプロセッサは、少なくとも１つのメモリにアクセスするように構成されることができ、１つまたは複数のプロセッサの少なくとも１つのプロセッサは、以下のコンピュータ実行可能命令、すなわち、取引のための文書と関連付けられた、受信された取引解析要求を、プロセッサを用いて識別する命令であって、取引解析要求が、ユーザデバイス上に表示されるグラフィカルユーザインタフェースから受信したデータ、およびユーザデバイス上のカメラを使用して取り込まれた文書の画像を含む、取引解析要求を識別する命令と、文書の画像からの情報を、プロセッサを用いて識別する命令と、文書が、文書の画像から取得した情報およびユーザデバイスから受信したデータに少なくとも部分的に基づいて取引で使用されなければならないことを、プロセッサを用いて決定する命令と、取引解析要求への応答を、プロセッサを用いて生成する命令であって、応答が、取引のために文書を使用する勧告を含む、応答を生成する命令と、取引解析要求への応答を、プロセッサを用いてユーザデバイスに送らせる命令とを実行するように構成されることができる。
【００１２】
実施例は、以下の特徴の１つまたは複数を含むことができる。取引解析要求は、ユーザデバイスと通信している第１のデバイスから、ユーザデバイスによって受信された情報をさらに含むことができる。決定する命令は、取引解析要求を処理するために第１のサーバに送らせる命令をさらに含むことができる。画像は、支払手段の画像を含むことができる。勧告は、支払手段に資金を供給する命令を含む。ユーザデバイスから受信されたデータは、運転免許証識別子およびユーザ名の１つまたは複数を含むことができる。文書の画像からの情報は、取引の種類、取引の量、および取引の日付の１つまたは複数を含むことができる。
【００１３】
本開示の例示的実施形態によれば、非一時的コンピュータ可読媒体が、存在し得る。非一時的コンピュータ可読媒体は、プロセッサによって実行されるとき、取引のための文書と関連付けられた、受信された取引解析要求を、プロセッサを用いて識別することであって、取引解析要求が、ユーザデバイス上に表示されるグラフィカルユーザインタフェースから受信したデータおよびユーザデバイス上のカメラを使用して取り込まれた文書の画像を含む、取引解析要求を識別することと、文書の画像からの情報を、プロセッサを用いて識別することと、文書が、文書の画像から取得した情報およびユーザデバイスから受信したデータに少なくとも部分的に基づいて取引で使用されなければならないことを、プロセッサを用いて決定することと、取引解析要求への応答を、プロセッサを用いて生成することであって、応答が、取引のために文書を使用する勧告を含む、応答を生成することと、取引解析要求への応答を、プロセッサを用いてユーザデバイスに送らせることとを含む、オペレーションをプロセッサに行なわせることができるコンピュータ実行可能命令を記憶することができる。
【００１４】
実施例は、以下の特徴の１つまたは複数を含むことができる。取引解析要求は、ユーザデバイスと通信している第１のデバイスから、ユーザデバイスによって受信された情報をさらに含むことができる。決定する命令は、取引解析要求を処理するために第１のサーバに送らせる命令をさらに含むことができる。画像は、支払手段の画像を含む。ユーザデバイスから受信されたデータは、運転免許証識別子およびユーザ名の１つまたは複数を含むことができる。文書の画像からの情報は、取引の種類、取引の量、および取引の日付の１つまたは複数を含むことができる。文書の画像からの情報を識別することは、光学的文字認識（ＯＣＲ）を使用して、文書の画像からの情報を識別することをさらに含む。決定することは、ユーザと関連付けられた取引履歴を識別することをさらに含むことができる。ユーザと関連付けられた取引履歴は、ユーザと商人との間の否定的な取引、およびユーザが商人を支持していることを表す情報の内の少なくとも１つをさらに含むことができる。
【００１５】
本開示の例示的実施形態によれば、方法が、存在し得る。方法は、取引のための文書と関連付けられた、受信された取引解析要求を、プロセッサを用いて識別することであって、取引解析要求が、ユーザデバイス上に表示されるグラフィカルユーザインタフェースから受信したデータおよびユーザデバイス上のカメラを使用して取り込まれた文書の画像を含む、取引解析要求を識別することと、文書の画像からの情報を、プロセッサを用いて識別することと、文書が、文書の画像から取得した情報およびユーザデバイスから受信したデータに少なくとも部分的に基づいて取引で使用されなければならないことを、プロセッサを用いて決定することと、取引解析要求への応答を、プロセッサを用いて生成することであって、応答が、取引のために文書を使用する勧告を含む、応答を生成することと、取引解析要求への応答を、プロセッサを用いてユーザデバイスに送らせることとを含むことができる。
【００１６】
実施例は、以下の特徴の１つまたは複数を含むことができる。取引解析要求は、ユーザデバイスと通信している第１のデバイスから、ユーザデバイスによって受信された情報をさらに含むことができる。決定する命令は、取引解析要求を処理するために第１のサーバに送らせる命令をさらに含むことができる。画像は、支払手段の画像を含むことができる。ユーザデバイスから受信されたデータは、運転免許証識別子およびユーザ名の１つまたは複数を含むことができる。文書の画像からの情報は、取引の種類、取引の量、および取引の日付の１つまたは複数を含むことができる。文書の画像からの情報を識別することは、光学的文字認識（ＯＣＲ）を使用して、文書の画像からの情報を識別することをさらに含む。決定することは、ユーザと関連付けられた取引履歴を識別することをさらに含むことができる。ユーザと関連付けられた取引履歴は、ユーザと商人との間の否定的な取引、およびユーザが商人を支持していることを表す情報の内の少なくとも１つをさらに含むことができる。
【００１７】
本開示の例示的実施形態によれば、装置が、存在し得る。装置は、取引のための文書と関連付けられた、受信された取引解析要求を、プロセッサを用いて識別することであって、取引解析要求が、ユーザデバイス上に表示されるグラフィカルユーザインタフェースから受信したデータおよびユーザデバイス上のカメラを使用して取り込まれた文書の画像を含む、取引解析要求を識別することと、文書の画像からの情報を、プロセッサを用いて識別することと、文書が、文書の画像から取得した情報およびユーザデバイスから受信したデータに少なくとも部分的に基づいて取引で使用されなければならないことを、プロセッサを用いて決定することと、取引解析要求への応答を、プロセッサを用いて生成することであって、応答が、取引のために文書を使用する勧告を含む、応答を生成することと、取引解析要求への応答を、プロセッサを用いてユーザデバイスに送らせることとのための手段をさらに備えることができる。
【００１８】
実施例は、以下の特徴の１つまたは複数を含むことができる。取引解析要求は、ユーザデバイスと通信している第１のデバイスから、ユーザデバイスによって受信された情報をさらに含むことができる。決定する命令は、取引解析要求を処理するために第１のサーバに送らせる命令をさらに含むことができる。画像は、支払手段の画像を含むことができる。ユーザデバイスから受信されたデータは、運転免許証識別子およびユーザ名の１つまたは複数を含むことができる。文書の画像からの情報は、取引の種類、取引の量、および取引の日付の１つまたは複数を含むことができる。文書の画像からの情報を識別することは、光学的文字認識（ＯＣＲ）を使用して、文書の画像からの情報を識別することをさらに含む。決定することは、ユーザと関連付けられた取引履歴を識別することをさらに含むことができる。ユーザと関連付けられた取引履歴は、ユーザと商人との間の否定的な取引、およびユーザが商人を支持していることを表す情報の内の少なくとも１つをさらに含むことができる。
【００１９】
図面の簡単な記述
詳細な説明は、添付の図面を参照しながら、述べられる。同一参照番号を使用している場合、類似または同一の構成要素または要素を示しているが、異なる参照番号が、類似している、または同一であり得る構成要素または要素を示すのに使用される場合もある。本開示のさまざまな実施形態は、図面に図示されるもの以外の要素および／または構成要素を利用することもでき、いくつかの要素および／または構成要素は、さまざまな実施形態に存在していない場合もある。コンテクストに応じて、要素または構成要素を説明するのに使用される単数の用語は、複数の当該要素または構成要素を包含することができ、逆も同様であり得る。
【図面の簡単な説明】
【００２０】
【図１】本開示の１つまたは複数の実施形態による、金融取引のための文書処理用の例示的なシステムアーキテクチャの各種要素の間の例示的なデータの流れを示す図である。
【００２１】
【図２】本開示の１つまたは複数の実施形態による、図１に示す例示的なシステムアーキテクチャのさまざまなハードウェア構成要素およびソフトウェア構成要素を含むブロック図である。
【００２２】
【図３】本開示の１つまたは複数の実施形態による、金融取引のための文書処理を要求するための例示的な方法のプロセス流れ図である。
【００２３】
【図４】本開示の１つまたは複数の実施形態による、金融取引のための文書処理の要求を処理するための例示的な方法のプロセス流れ図である。
【発明を実施するための形態】
【００２４】
詳細な記述
本開示は、とりわけ、取引文書処理に関するシステム、方法、コンピュータ可読媒体、技術、および方法論に関する。いくつかの実施形態では、ユーザは、取引を完了させるために文書を利用することを希望することができる。例えば、購入取引では、ユーザは、製品またはサービスの代価を払うのに小切手を利用することを望むことができる。いくつかの実施形態では、販売時点情報管理（ＰＯＳ：Ｐｏｉｎｔ  ｏｆ  Ｓａｌｅ）デバイスなどのユーザデバイスが、ユーザ情報を入力する、ならびに小切手の画像を取り込むのに使用され得る。購入取引と関連付けられた要求は、ＰＯＳデバイスによって開始され得る。ＰＯＳデバイスと通信している金融サービスサーバは、要求を文書解析サーバに転送することができる。文書が、取引で使用されるように承認されるかどうかを決定するために、文書解析サーバは、ＰＯＳデバイスから受信した情報を使用することができる。文書解析サーバは、光学的文字認識（ＯＣＲ）を使用して、小切手の画像から金融情報（例えばルーティングおよび口座情報）を取得することができる。文書解析サーバは、追加情報（例えば信用履歴、取引履歴、小切手と関連付けられた当座預金口座または貯蓄口座の銀行からの支出履歴等）を取得するために、ユーザ情報および金融情報を使用することができる。文書解析サーバは、さらに、取引のために文書（例えば小切手）の使用を承認する勧告を生成するのか、それとも拒否する勧告を生成するのかを決定することができる。文書解析サーバは、さらに、取引のために文書を使用することの承認または拒否の指示をユーザデバイスから受信することができ、取引のために文書を使用することを容易にするための対応する命令は、適切な実体、デバイス、またはサーバに伝送され得る。さまざまな例示的実施形態は以上の通りである。本開示のこれらの、および他の例示的実施形態は、下文にて添付の図面を参照することを通してより詳細に説明される。図面および対応する説明は、実例として提示されているにすぎず、本開示を制限することを決して目的としていない。数多くの他の実施形態、変型例等が、本開示の範囲内であることを理解されたい。
【００２５】
例示的な使用事例およびシステムアーキテクチャ
図１は、本開示の１つまたは複数の実施形態による、金融取引に関する文書処理のための例示的なシステムアーキテクチャ１００の各種構成要素間での例示的なデータ流れを図示する。
【００２６】
１人または複数のユーザ１０２によって操作可能である１つまたは複数の例示的なユーザデバイス１０４が、実例的に図１に示される。ユーザデバイス１０４は、取引を容易にすること、ネットワークを通じて他のデバイスと通信すること、情報を取得することができる、どのような適したデバイス（例えばユーザデバイス１０４と関連付けられたグラフィカルユーザインタフェースおよび／またはセンサ）でも含むことができる。ユーザデバイス１０４には、高度自動機能電話もしくは他のセルラ無線デバイス、タブレットデバイス、電子書籍リーダーデバイス、ラップトップコンピュータデバイス、ゲームコンソール、マルチメディアコンテンツストリーミングデバイス、セットトップボックス、装着型コンピュータデバイス等を、これらに限定するわけではないが、含む、どのような適したプロセッサ駆動型のコンピュータデバイスでも含まれ得る。説明を容易にするために、本明細書では、ユーザデバイス１０４およびユーザ１０２が、単一で記載される場合があるが、複数ユーザ１０２によって操作可能な複数のユーザデバイス１０４が提供され得ることを理解されたい。
【００２７】
さまざまな例示的実施形態では、ユーザ１０２は、グラフィックカルユーザインタフェースを介してユーザ情報を提供するために、ユーザデバイス１０４と相互作用することができる。例えば、ユーザデバイス１０４上で開始された購入取引と連動して、ユーザは、タッチディスプレイ、またはキーボードおよびマウスなどの他の入出力用機械装置を使用して、自分の名前、住所、電話番号、電子メールアドレス等を提供することができる。ユーザデバイス１０４は、１つまたは複数の、カメラなどのセンサデバイスを使用して、文書１０６の画像を取得することができる。例示的文書は、小切手などの支払手段である場合がある。ユーザデバイス１０４は、取引情報（例えば購入取引のためにユーザ１０２が払うべき総額、文書画像、およびユーザ情報）を含む文書解析の要求を生成して、金融サービスサーバ１０８に伝送することができる。
【００２８】
いくつかの実施形態では、金融サービスサーバ１０８は、文書解析の要求を受信することができる。金融サービスサーバ１０８は、要求の中の情報を使用して、文書１０６が、所定の目的に対して承認されるのか、それとも拒否されるのかについての勧告を生成することができる。例えば、小切手が、購入取引の支払いに資金を供給するために提供され得る。いくつかの実施形態では、金融サービスサーバ１０８は、光学的文字認識を使用して、文書１０６の画像から金融情報を取得することを容易にすることができる。情報は、文書１０６が小切手である場合には、文書１０６と関連付けられた貯蓄口座または当座預金口座に関するルーティングおよびア口座情報を含むことができる。金融サービスサーバ１０８は、ユーザ情報、金融情報、および取引情報を文書解析サーバ１１０に伝送することができる。文書解析サーバ１１０は、文書１０６を拒否するのか、それとも承認するのかを決定するために、ユーザ情報、金融情報、および取引情報を使用することができる。文書解析サーバ１１０は、文書１０６を拒否するのか、それとも承認するのかを決定することができ、決定を金融サービスサーバ１０８に伝送することができる。文書が承認される場合には、アクションをとることができる。例えば、文書１０６が承認される場合には、取引の決済を、開始することができ、メッセージが、生成されて、ユーザデバイス１０４に伝送され、文書１０６が承認されたことを示すことができる。文書が、承認されない場合には、メッセージが、ユーザデバイス１０４に伝送され、文書１０６が、取引に関して承認されなかったという勧告を示すことができる。いくつかの実施形態では、メッセージは、代替的な文書または支払手段の要求を含むことができる。いくつかの実施形態では、ユーザ１０２は、勧告を無視するように指示することができ、予め提出された文書１０６を使用して、取引を完了させるように指示することができる。
【００２９】
図２は、本開示の１つまたは複数の実施形態による、図１に示す例示的なシステムアーキテクチャのさまざまなハードウェア構成要素およびソフトウェア構成要素を含むブロック図である。例示的なアーキテクチャ２００は、１人または複数のユーザ１０２によって操作可能である１つまたは複数の例示的なユーザデバイス１０４、１つまたは複数の金融サービスサーバ１０８、１つまたは複数の文書解析サーバ１１０、および／または１つまたは複数のデータストア１１２を含むことができる。ユーザデバイス１０４には、図１への言及で記載されたデバイスのいずれの種類でも含まれ得る。
【００３０】
ユーザデバイス１０４、１つまたは複数の金融サービスサーバ１０８、１つまたは複数の文書解析サーバ１１０、および／または１つまたは複数のデータストア１１２の内のいずれでも、相互に、および１つまたは複数のネットワーク２１０を介してアーキテクチャ２００のどのような他の構成要素とも通信するように構成されることができる。ネットワーク２１０には、例えばケーブルネットワーク、公衆ネットワーク（例えばインターネット）、私設ネットワーク、ワイヤレスネットワーク、セルラ無線ネットワーク、または何らかの他の適した私設ネットワークおよび／または公衆ネットワークなどの、異なる種類の適した通信ネットワークの内のいずれか１つまたは組合せが含まれ得るが、これらに限定するわけではない。さらに、ネットワーク２１０は、それと関連付けられたどのような適した通信距離でも有することができ、例えばグローバルネットワーク（例えばインターネット）、メトロポリタンエリアネットワーク（ＭＡＮ：Ｍｅｔｒｏｐｏｌｉｔａｎ  Ａｒｅａ  Ｎｅｔｗｏｒｋ）、広域ネットワーク（ＷＡＮ：Ｗｉｄｅ  Ａｒｅａ  Ｎｅｔｗｏｒｋ）、ローカルエリアネットワーク（ＬＡＮ：Ｌｏｃａｌ  Ａｒｅａ  Ｎｅｔｗｏｒｋ）、またはパーソナルエリアネットワーク（ＰＡＮ：Ｐｅｒｓｏｎａｌ  Ａｒｅａ  Ｎｅｔｗｏｒｋ）が含まれ得る。加えて、ネットワーク２１０には、それを通じてネットワークトラフィックが、運ばれ得る、同軸ケーブル、ツイストペアワイヤ、光ファイバ、ハイブリッドファイバ同軸（ＨＦＣ：Ｈｙｂｒｉｄ  Ｆｉｂｅｒ  Ｃｏａｘｉａｌ）媒体、マイクロ波地上トランシーバ、無線周波数通信媒体、衛星通信媒体、またはその何らかの組合せを、これらに限定するわけではないが、含む、どのような種類の媒体でも含まれ得る。
【００３１】
ユーザデバイス１０４には、デジタルデータを入力として受け入れること、記憶されたコンピュータ実行可能命令に基づいて入力データを処理すること、および出力データを生成することができるどのような適した処理ユニットでも含むことができる、１つまたは複数のプロセッサ２２０が含まれ得る。コンピュータ実行可能命令は、例えばデータ記憶装置２２４の中に記憶されることができ、とりわけ、オペレーティングシステムソフトウェアおよびアプリケーションソフトウェアを含むことができる。コンピュータ実行可能命令は、実行する必要に応じて、データ記憶装置２２４から読み出されて、メモリ２２２へロードされ得る。プロセッサ２２０は、さまざまなオペレーションを行なわせるコンピュータ実行可能命令を実行するように構成されることができる。プロセッサ２２０には、中央処理ユニット、マイクロプロセッサ、マイクロコントローラ、縮小命令セットコンピュータ（ＲＩＳＣ：Ｒｅｄｕｃｅｄ  Ｉｎｓｔｒｕｃｔｉｏｎ  Ｓｅｔ  Ｃｏｍｐｕｔｅｒ）マイクロプロセッサ、複合命令セットコンピュータ（ＣＩＳＣ：Ｃｏｍｐｌｅｘ  Ｉｎｓｔｒｕｃｔｉｏｎ  Ｓｅｔ  Ｃｏｍｐｕｔｅｒ）マイクロプロセッサ、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、システムオンチップ（ＳｏＣ：Ｓｙｓｔｅｍ  ｏｎ  ａ  Ｃｈｉｐ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）などを、これらに限定するわけではないが、含む、どのような種類の処理ユニットでも含まれ得る。
【００３２】
データ記憶装置２２４は、プロセッサ２２０によってロード可能であり、実行可能であるログラム命令、ならびに、プログラム命令を実行する間、プロセッサ２２０によって操作、生成されるデータを記憶することができる。プログラム命令は、実行する必要に応じて、メモリ２２２へロードされ得る。ユーザデバイス１０４の構成および実施に応じて、メモリ２２２は、ランダムアクセスメモリ（ＲＡＭ：Ｒａｎｄｏｍ  Ａｃｃｅｓｓ  Ｍｅｍｏｒｙ）などの、揮発性メモリ（電力が供給されないときには、記憶した情報を保持するように構成されていないメモリ）、および／または読取り専用メモリ（ＲＯＭ：Ｒｅａｄ  Ｏｎｌｙ  Ｍｅｍｏｒｙ）、フラッシュメモリ等などの、不揮発性メモリ（電力が供給されないときでも、記憶した情報を保持するように構成されているメモリ）であることができる。さまざまな実施例では、メモリ２２２には、さまざまな形の静的ランダムアクセスメモリ（ＳＲＡＭ：Ｓｔａｔｉｃ  Ｒａｎｄｏｍ  Ａｃｃｅｓｓ  Ｍｅｍｏｒｙ）、さまざまな形の動的ランダムアクセスメモリ（ＤＲＡＭ：Ｄｙｎａｍｉｃ  Ｒａｎｄｏｍ  Ａｃｃｅｓｓ  Ｍｅｍｏｒｙ）、不変ＲＯＭ、および／または電気的消去可能ＰＲＯＭ（ＥＥＰＲＯＭ：Ｅｌｅｃｔｒｉｃａｌｌｙ  Ｅｒａｓａｂｌｅ  ａｎｄ  Ｐｒｏｇｒａｍｍａｂｌｅ  Ｒｅａｄ−Ｏｎｌｙ  Ｍｅｍｏｒｙ）などの、書き込み可能なＲＯＭの変型例、フラッシュメモリ等などの、多数の異なる種類のメモリが含まれ得る。
【００３３】
さまざまなプログラムモジュール、アプリケーション、または類似物は、プロセッサ２２０によって実行されるときに、さまざまなオペレーションを行なわせるコンピュータ実行可能命令を含むことができるデータ記憶装置２２４の中に記憶され得る。メモリ２２２には、開発者ワークステーション１０６上で実行する他のアプリケーションソフトウェア（例えば専用アプリケーション、ブラウザアプリケーション、ウェブ基盤アプリケーション、分散型クライアントサーバアプリケーション等）と、ユーザデバイス１０４のハードウェア資源との間にインタフェースを提供することができる、１つまたは複数のオペレーティングシステム（Ｏ／Ｓ：Ｏｐｅｒａｔｉｎｇ  Ｓｙｓｔｅｍ）を、データ記憶装置２２４からロードしておくことができる。より具体的には、Ｏ／Ｓは、ユーザデバイス１０４のハードウェア資源を管理するための、および他のアプリケーションプログラムに対して共通サービスを提供する（例えばさまざまなアプリケーションプログラムの間でメモリアロケーションを管理する）ための１組のコンピュータ実行可能命令を含むことができる。Ｏ／Ｓには、何らかのモバイルオペレーティングシステム、デスクトップもしくはラップトップオペレーティングシステム、メインフレームオペレーティングシステム、または何らかの他の所有権のあるもしくはオープンソースのオペレーティングシステムを、これらに限定するわけではないが、含む、現在知られている、または将来開発される可能性があるどのようなオペレーティングシステムでも含まれ得る。
【００３４】
データ記憶装置２２４は、さまざまな関連機能性を支援するためのコンピュータ実行可能命令を含み得るさまざまな他のプログラムモジュールを、追加的に含むことができる。例えば、データ記憶装置２２４は、１つまたは複数の金融サービスクライアント２２６またはモジュールを含むことができる。金融サービスクライアント２２６またはモジュールは、プロセッサ２２０による実行に応答して、グラフィックカルユーザインタフェースを介してユーザ１０２からデータを受信することと、１つまたは複数のセンサデバイス２２８を利用して文書１０６の画像の取り込みを容易にすることと、メッセージを生成して、金融サービスサーバ１０８に伝送するためにメッセージを伝送することと、金融サービスサーバ１０８からメッセージを受信することと、ユーザ１０２にメッセージを表示することとを含むオペレーションを行なわせる、コンピュータ実行可能命令を含むことができる。
【００３５】
ユーザデバイス１０４は、１つまたは複数の汎用資源識別子（ＵＲＩ：Ｕｎｉｖｅｒｓａｌ  Ｒｅｓｏｕｒｃｅ  Ｉｄｅｎｔｉｆｉｅｒ）を取り込むために、イメージセンサおよび／もしくは収集装置（例えば、マイクロホン、カメラ、ビデオカメラ、近距離無線通信（ＮＦＣ：Ｎｅａｒ  Ｆｉｅｌｄ  Ｃｏｍｍｕｎｉｃａｔｉｏｎ）スキャナ、ＲＦスキャナ、赤外線走査装置、クイックレスポンス（ＱＲ：Ｑｕｉｃｋ  Ｒｅｓｐｏｎｓｅ）コードスキャナ等）などの１つまたは複数のセンサデバイス２２８を含むことができる。
【００３６】
金融サービスサーバ１０８は、１つまたは複数のプロセッサ２３２および１つまたは複数のメモリ２３６（本明細書では概括的にメモリ２３６と称される）を含むことができる。プロセッサ２３２は、デジタルデータを入力として受け入れること、記憶されたコンピュータ実行可能命令に基づいて入力データを処理すること、および出力データを生成することができるどのような適した処理ユニットでも含むことができる。コンピュータ実行可能命令は、例えばデータ記憶装置２３４の中に記憶されることができ、とりわけ、オペレーティングシステムソフトウェアおよびアプリケーションソフトウェアを含むことができる。コンピュータ実行可能命令は、実行する必要に応じて、データ記憶装置２３４から読み出されて、メモリ２３６へロードされ得る。プロセッサ２３２は、さまざまなオペレーションを行なわせるコンピュータ実行可能命令を実行するように構成されることができる。プロセッサ２３２には、中央処理ユニット、マイクロプロセッサ、マイクロコントローラ、縮小命令セットコンピュータ（ＲＩＳＣ）マイクロプロセッサ、複合命令セットコンピュータ（ＣＩＳＣ）マイクロプロセッサ、特定用途向け集積回路（ＡＳＩＣ）、システムオンチップ（ＳｏＣ）、フィールドプログラマブルゲートアレイ（ＦＰＧＡ）などを、これらに限定するわけではないが、含む、どのような種類の処理ユニットでも含まれ得る。
【００３７】
データ記憶装置２３４は、プロセッサ２３２によってロード可能であり、実行可能であるプログラム命令、ならびに、プログラム命令を実行する間、プロセッサ２３２によって操作、生成されるデータを記憶することができる。プログラム命令は、実行する必要に応じて、メモリ２３６へロードされ得る。金融サービスサーバ１０８の構成および実施に応じて、メモリ２３６は、ランダムアクセスメモリ（ＲＡＭ）などの、揮発性メモリ（電力が供給されないときには、記憶した情報を保持するように構成されていないメモリ）、および／または読取り専用メモリ（ＲＯＭ）、フラッシュメモリ等などの、不揮発性メモリ（電力が供給されないときでも、記憶した情報を保持するように構成されているメモリ）であることができる。さまざまな実施例では、メモリ２３６には、さまざまな形の静的ランダムアクセスメモリ（ＳＲＡＭ）、さまざまな形の動的ランダムアクセスメモリ（ＤＲＡＭ）、不変ＲＯＭ、および／または電気的消去可能ＰＲＯＭ（ＥＥＰＲＯＭ）などの、ＲＯＭの書き込み可能な変型例、フラッシュメモリ等などの、多数の異なる種類のメモリが含まれ得る。
【００３８】
金融サービスサーバ１０８は、磁気記憶装置、光学ディスク記憶装置、および／またはテープ記憶装置を、これらに限定するわけではないが、含む、取り外し可能記憶装置または取り外しできない記憶装置などの追加データ記憶装置２３４をさらに含むことができる。データ記憶装置２３４は、コンピュータ実行可能命令および他のデータの不揮発性記憶装置を提供することができる。取り外し可能および／または取り外しできない、メモリ２３６および／またはデータ記憶装置２３４は、コンピュータ可読記憶媒体（ＣＲＳＭ：Ｃｏｍｐｕｔｅｒ  Ｒｅａｄａｂｌｅ  Ｓｔｏｒａｇｅ  Ｍｅｄｉａ）の例である。
【００３９】
金融サービスサーバ１０８は、金融サービスサーバ１０８と例示的なシステムアーキテクチャ２００の他のデバイス（例えばユーザデバイス１０４、文書解析サーバ１１０等）との間の通信を容易にするネットワークインターフェース２４０、またはネットワーク２１０を利用したアプリケーションソフトウェアをさらに含むことができる。金融サービスサーバ１０８は、キーボード、マウス、ペン、位置指示デバイス、音声入力デバイス、ジェスチャ検知および／または取り込みデバイス、タッチ入力デバイス、ディスプレイ、スピーカ、カメラ、マイクロホン、プリンタ等などの、ユーザとさまざまな入出力デバイスとの間の相互作用を支援することができる１つまたは複数の入出力（Ｉ／Ｏ：Ｉｎｐｕｔ／Ｏｕｔｐｕｔ）インタフェース２３８（およびデバイスドライバなどの、随意的に関連付けられたソフトウェア構成要素）を追加的に含むことができる。
【００４０】
再びデータ記憶装置２３４を参照すると、プロセッサ２３２によって実行されるときに、さまざまなオペレーションを行なわせるコンピュータ実行可能命令を含むことができる、さまざまなプログラムモジュール、アプリケーション、または類似のものが、その中に記憶され得る。メモリ２３６には、金融サービスサーバ１０８上で実行する他のアプリケーションソフトウェア（例えば専用アプリケーション、ブラウザアプリケーション、ウェブ基盤アプリケーション、分散型クライアントサーバアプリケーション等）と、金融サービスサーバ１０８のハードウェア資源との間にインタフェースを提供することができる、１つまたは複数のオペレーティングシステム（Ｏ／Ｓ）２４２をデータ記憶装置２３４からロードしておくことができる。より具体的には、Ｏ／Ｓ２４２は、金融サービスサーバ１０８のハードウェア資源を管理するための、および他のアプリケーションプログラムに対して共通サービスを提供する（例えばさまざまなアプリケーションプログラムの間でメモリアロケーションを管理する）ための１組のコンピュータ実行可能命令を含むことができる。Ｏ／Ｓ２４２には、何らかのモバイルオペレーティングシステム、デスクトップもしくはラップトップオペレーティングシステム、メインフレームオペレーティングシステム、または何らかの他の所有権のあるまたはオープンソースのオペレーティングシステムを、これらに限定するわけではないが、含む、現在知られている、または将来開発される可能性があるどのようなオペレーティングシステムでも含まれ得る。
【００４１】
データ記憶装置２３４は、１つまたは複数のデータストアの中に記憶されたデータにアクセスする、読み出す、記憶する、および／または操作するための１つまたは複数のデータベース管理システム（ＤＢＭＳ：Ｄａｔａｂａｓｅ  Ｍａｎａｇｅｍｅｎｔ  Ｓｙｓｔｅｍ）２４４をさらに含むことができる。ＤＢＭＳ２４４は、さまざまなデータベースモデル（例えば関係モデル、オブジェクトモデル等）のいずれでも使用することができ、さまざまな問合せ言語のいずれにも対応することができる。
【００４２】
データ記憶装置２３４は、さまざまな関連機能性を支援するためのコンピュータ実行可能命令を含むことができるさまざまな他のプログラムモジュールを追加的に含むことができる。例えば、データ記憶装置２３４は、１つまたは複数の金融サービスモジュール２４６を含むことができる。金融サービスモジュール２４６は、プロセッサ２３２による実行に応答して、ユーザデバイス１０４および／または文書解析サーバ１１０からデータを受信すること、およびユーザデバイス１０４および／または文書解析サーバ１１０にメッセージを伝送すること、ユーザデバイス１０４および／または文書解析サーバ１１０から受信した情報に基づいて取引を開始すること等を含むオペレーションを行なわせるコンピュータ実行可能命令を含むことができる。
【００４３】
データ記憶装置２３４の中に、１つまたは複数のモジュールが、記憶され得る。本明細書で使用される場合、モジュールという用語は、１つまたは複数のプロセッサ２３２によって実行され得る命令の機能的集合体を指すことができる。説明を容易にするため、そして限定する目的ではなく、個別のモジュールが、説明されている。しかしながら、いくつかの実施例では、モジュールによって提供されるさまざまな機能は、結合される、分離されるなどの場合があることを理解されたい。その上、モジュールは、一方の状態が、もう一方のオペレーションに影響を及ぼすように、互いに通信し合うことができる、または他の方法で相互作用することができる。
【００４４】
文書解析サーバ１１０は、１つまたは複数のプロセッサ２５２および１つまたは複数のメモリ２５６（本明細書では概括的にメモリ２５６と称される）を含むことができる。プロセッサ２５２は、デジタルデータを入力として受け入れること、記憶されたコンピュータ実行可能命令に基づいて入力データを処理すること、および出力データを生成することができるどのような適した処理ユニットでも含むことができる。コンピュータ実行可能命令は、例えばデータ記憶装置２５４の中に記憶されることができ、とりわけ、オペレーティングシステムソフトウェアおよびアプリケーションソフトウェアを含むことができる。コンピュータ実行可能命令は、実行する必要に応じて、データ記憶装置２５４から読み出されて、メモリ２５６へロードされ得る。プロセッサ２５２は、さまざまなオペレーションを行なわせるコンピュータ実行可能命令を実行するように構成されることができる。プロセッサ２５２には、中央処理ユニット、マイクロプロセッサ、マイクロコントローラ、縮小命令セットコンピュータ（ＲＩＳＣ）マイクロプロセッサ、複合命令セットコンピュータ（ＣＩＳＣ）マイクロプロセッサ、特定用途向け集積回路（ＡＳＩＣ）、システムオンチップ（ＳｏＣ）、フィールドプログラマブルゲートアレイ（ＦＰＧＡ）等を、これらに限定するわけではないが、含む、どのような種類の処理ユニットでも含まれ得る。
【００４５】
データ記憶装置２５４は、プロセッサ２５２によってロード可能であり、実行可能であるプログラム命令、ならびに、プログラム命令を実行する間、プロセッサ２５２によって操作、生成されるデータを記憶することができる。プログラム命令は、実行する必要に応じて、メモリ２５６へロードされ得る。文書解析サーバ１１０の構成および実施に応じて、メモリ２５６は、ランダムアクセスメモリ（ＲＡＭ）などの、揮発性メモリ（電力が供給されないときには、記憶した情報を保持するように構成されていないメモリ）、および／または読取り専用メモリ（ＲＯＭ）、フラッシュメモリ等などの、不揮発性メモリ（電力が供給されないときでも、記憶した情報を保持するように構成されているメモリ）であることができる。さまざまな実施例では、メモリ２５６には、さまざまな形の静的ランダムアクセスメモリ（ＳＲＡＭ）、さまざまな形の動的ランダムアクセスメモリ（ＤＲＡＭ）、不変ＲＯＭ、および／または電気的消去可能ＰＲＯＭ（ＥＥＰＲＯＭ）などの、ＲＯＭの書き込み可能な変型例、フラッシュメモリ等などの、多数の異なる種類のメモリが含まれ得る。
【００４６】
文書解析サーバ１１０は、磁気記憶装置、光学ディスク記憶装置、および／またはテープ記憶装置を、これらに限定するわけではないが、含む、取り外し可能記憶装置または取り外しできない記憶装置などの追加データ記憶装置２５４をさらに含むことができる。データ記憶装置２５４は、コンピュータ実行可能命令および他のデータの不揮発性記憶装置を提供することができる。取り外し可能および／または取り外しできない、メモリ２３６および／またはデータ記憶装置２５４は、コンピュータ可読記憶媒体（ＣＲＳＭ）の例である。
【００４７】
文書解析サーバ１１０は、文書解析サーバ１１０と例示的なシステムアーキテクチャ２００の他のデバイス（例えばユーザデバイス１０４、金融サービスサーバ１０８等）との間の通信を容易にするネットワークインターフェース２６０、またはネットワーク２１０を利用したアプリケーションソフトウェアをさらに含むことができる。文書解析サーバ１１０は、キーボード、マウス、ペン、位置指示デバイス、音声入力デバイス、ジェスチャ検知および／または取り込みデバイス、タッチ入力デバイス、ディスプレイ、スピーカ、カメラ、マイクロホン、プリンタ等などの、ユーザとさまざまな入出力デバイスとの間の相互作用を支援することができる１つまたは複数の入出力（Ｉ／Ｏ）インタフェース２５８（およびデバイスドライバなどの、随意的に関連付けられたソフトウェア構成要素）を追加的に含むことができる。
【００４８】
再びデータ記憶装置２５４を参照すると、プロセッサ２５２によって実行されるときに、さまざまなオペレーションを行なわせるコンピュータ実行可能命令を含むことができる、さまざまなプログラムモジュール、アプリケーション、または類似のものが、その中に記憶され得る。メモリ２５６には、文書解析サーバ１１０上で実行する他のアプリケーションソフトウェア（例えば専用アプリケーション、ブラウザアプリケーション、ウェブ基盤アプリケーション、分散型クライアントサーバアプリケーション等）と、文書解析サーバ１１０のハードウェア資源との間にインタフェースを提供することができる、１つまたは複数のオペレーティングシステム（Ｏ／Ｓ）２６２をデータ記憶装置２５４からロードしておくことができる。より具体的には、Ｏ／Ｓ２６２は、文書解析サーバ１１０のハードウェア資源を管理するための、および他のアプリケーションプログラムに対して共通サービスを提供する（例えばさまざまなアプリケーションプログラムの間でメモリアロケーションを管理する）ための１組のコンピュータ実行可能命令を含むことができる。Ｏ／Ｓ２６２には、何らかのモバイルオペレーティングシステム、デスクトップもしくはラップトップオペレーティングシステム、メインフレームオペレーティングシステム、または何らかの他の所有権のあるまたはオープンソースのオペレーティングシステムを、これらに限定するわけではないが、含む、現在知られている、または将来開発される可能性がある何らかのオペレーティングシステムが含まれ得る。
【００４９】
データ記憶装置２５４は、１つまたは複数のデータストアの中に記憶されたデータにアクセスする、読み出す、記憶する、および／または操作するための１つまたは複数のデータベース管理システム（ＤＢＭＳ）２６４をさらに含むことができる。ＤＢＭＳ２６４は、さまざまなデータベースモデル（例えば関係モデル、オブジェクトモデル等）のいずれでも使用することができ、さまざまな問合せ言語のいずれにも対応することができる。
【００５０】
データ記憶装置２５４は、さまざまな関連機能性を支援するためのコンピュータ実行可能命令を含むことができるさまざまな他のプログラムモジュールを追加的に含むことができる。例えば、データ記憶装置２５４は、１つまたは複数の文書解析エンジン２６６を含むことができる。
【００５１】
文書解析エンジン２６６は、プロセッサ２５２による実行に応答して、ユーザ１０２、文書１０６の画像等から取得された情報を使用しながら、ユーザ情報および／または金融情報を使用して、追加情報を取得することを含むオペレーションを行なわせるコンピュータ実行可能命令を含むことができ、追加情報には、信用履歴、他の商人との取引履歴、ユーザの貯蓄口座もしくは当座預金口座の銀行からの取引履歴、または他の種類の情報が含まれ得る。追加情報に基づいて、文書解析エンジン２６６は、取引で文書１０６を使用することを承認するのか、それとも拒否するのかについての勧告を生成することができる。
【００５２】
データ記憶装置２５４の中に、１つまたは複数のモジュールが、記憶され得る。本明細書で使用される場合、モジュールという用語は、１つまたは複数のプロセッサ２５２によって実行され得る命令の機能的集合体を指すことができる。説明を容易にするため、そして限定する目的ではなく、個別のモジュールが、説明されている。しかしながら、いくつかの実施例では、モジュールによって提供されるさまざまな機能は、結合される、分離されるなどの場合があることを理解されたい。その上、モジュールは、一方の状態が、もう一方のオペレーションに影響を及ぼすように、互いに通信し合うことができる、または他の方法で相互作用することができる。
【００５３】
当業者であれば理解されるように、システムアーキテクチャ２００の構成要素のいずれでも、本開示の範囲を逸脱することなく、説明または図示したものの他に、代わりのおよび／または追加的なハードウェア、ソフトウェア、またはファームウェア構成要素を含むことができる。より詳細には、システムアーキテクチャ２００の例示的な構成要素のいずれかを形成する部分として図示または説明されたハードウェア、ソフトウェア、またはファームウェア構成要素、および当該構成要素が支援する関連機能性は、例示的なものに過ぎないこと、およびさまざまな実施形態において、いくつかの構成要素は、存在しなくてもよい、もしくは追加的な構成要素が、設けられてもよいことを理解されたい。さまざまなプログラムモジュールが、システムアーキテクチャ２００のさまざまな例示的な構成要素に関して図示および説明されてきたが、プログラムモジュールによって支援されるように説明された機能性は、ハードウェア、ソフトウェア、および／またはファームウェアの何らかの組合せによって使用可能になることを理解されたい。前述モジュールのそれぞれは、さまざまな実施形態において、支援された機能性の論理的な区分化を表すことができることをさらに理解されたい。この論理的な区分化は、機能性の説明を容易にするために図示されており、機能性をインプリメントするためのハードウェア、ソフトウェア、および／またはファームウェアの構造を表していない場合もある。したがって、特有のモジュールによって提供されているように説明された機能性は、さまざまな実施形態において、１つまたは複数の他のモジュールによって、少なくとも部分的に提供されている場合もあることを理解されたい。さらに、１つまたは複数の図示されたモジュールは、ある種の実施形態には存在していない場合もあり、一方で、他の実施形態では、図示されていない追加的なモジュールが、存在している場合もあり、説明された機能性および／または追加的な機能性の少なくとも一部を支援している場合もある。さらに、ある種のモジュールが別のモジュールのサブモジュールとして図示および説明される場合もあるが、ある種の実施形態では、当該モジュールは、独立したモジュールとして提供されている場合もある。
【００５４】
当業者であれば、理解されるように、例示的なシステムアーキテクチャ２００は、ほんの一例として提示されている。数多くの他の動作環境、システムアーキテクチャ、およびデバイス構成は、本開示の範囲内である。本開示の他の実施形態は、より少ない数の、またはより多い数の構成要素および／またはデバイスを含む場合もあり、例示的なシステムアーキテクチャ２００に関して説明された機能性、または追加的な機能性の一部または全てを包含することができる。
【００５５】
例示的なプロセス
図３は、本開示の１つまたは複数の実施形態による、金融取引のための文書処理を要求する例示的な方法３００のプロセス流れ図である。ブロック３０５では、ユーザデバイス１０４の金融サービスクライアント２２６は、ユーザデバイス１０４上に表示されるグラフィックカルユーザインタフェースを介してデータをユーザ１０２から受信することができる。いくつかの実施形態では、データは、ユーザからのユーザ情報、（例えば運転免許証識別子、ユーザ名等）、取引情報（例えば取引の種類、取引の量、取引の日付）、または他の種類の情報を含むことができるが、これらに限定するわけではない。例えば、取引が、購入取引である場合、データには、商人情報（例えば、商人識別子、商人種類、商人場所等）がさらに含まれ得る。
【００５６】
ブロック３１０では、文書１０６の画像は、カメラなどのユーザデバイス１０４の１つまたは複数のセンサ２２８を使用して取り込まれることができる。スキャンされ得る文書の例には、当座預金口座または貯蓄口座と関連付けられた小切手が含まれ得る。
【００５７】
ブロック３１５では、ユーザデバイス１０４の金融サービスクライアント２２６は、ユーザ情報、取引（例えば販売取引）と関連付けられた情報、および文書１０６の画像を含む文書解析要求を生成することができる。文書解析要求は、処理するために金融サービスサーバ１０８に伝送され得る。
【００５８】
ブロック３２０では、ユーザデバイス１０４の金融サービスクライアント２２６は、金融サービスサーバ１０８から応答を受信することができる。いくつかの実施形態では、応答は、指定のアクションをとる勧告を示すことができる。例えば、文書が、小切手などの支払手段である場合、勧告は、小切手に資金を供給する（例えば銀行が小切手に要求された金額で商人に支払う）ようにというものであり得る。いくつかの実施形態では、アクションは、小切手に資金を供給することを拒むようにというものであり得る。いくつかの実施形態では、小切手に資金を供給することを拒むようにという勧告は、取引を完了させるために、代替的な文書または支払手段の要求を開始することを含むことができる。
【００５９】
ブロック３２５では、ユーザデバイス１０４の金融サービスクライアント２２６は、サーバからユーザ１０２への応答を表示することができる。応答は、ユーザ１０２に指定された電子メールアドレスに電子メールされることができ、ユーザ１０２に指定された番号にメールを送信されることができ、ユーザデバイス１０４上に表示されることなどができる。上記例を進めると、解析応答の勧告が、文書（例えば小切手）は資金を供給することを承認されたことを示した場合には、金融サービスサーバ１０８は、要求された資金を小切手と関連付けられた口座から商人に指定された商人口座へ転送することを開始することができる。したがって、取引は、処理されて完了され得る。
【００６０】
いくつかの実施形態では、解析応答の勧告が、文書（例えば小切手）が資金を供給することを承認されなかったことを示した場合には、金融サービスクライアント２２６は、代替的な文書または支払手段を要求するメッセージをユーザ１０２に表示することができる。いくつかの実施形態では、メッセージは、勧告を拒絶して、要求に資金を供給する要求をさらに含むことができる。
【００６１】
任意選択ブロック３３０では、ユーザデバイス１０４の金融サービスクライアント２２６は、ユーザ１０２から指示を受信することができる。指示は、解析応答に応答してとるアクションを特定することができる。例えば、アクションは、ユーザ１０２によって提供された、要求された代替的な文書または支払手段を使用して、取引を処理すること、または予め提供された文書で続行することであり得る。
【００６２】
任意選択ブロック３３５では、ユーザデバイス１０４の金融サービスクライアント２２６は、指示に基づいて特定されたアクションを実行することができる。例えば、金融サービスクライアント２２６は、ユーザ１０２によって提供された代替的な文書または支払手段を使用して、取引を処理することを再開することができる。いくつかの実施形態では、金融サービスクライアント２２６は、勧告を無視するようにとの指示を受信していた場合もあり、最初に提供された文書を使用して、取引を処理することを続けることができる。
【００６３】
図４は、本開示の１つまたは複数の実施形態による、金融取引のための文書処理の要求を処理する例示的な方法４００のプロセス流れ図である。
【００６４】
ブロック４０５では、金融サービスサーバ１０８の金融サービスモジュール２４６は、ユーザデバイス１０４から文書解析の要求を受信することができる。いくつかの実施形態では、文書解析の要求は、文書１０６の画像を含むことができる。いくつかの実施形態では、文書解析要求は、暗号化されたネットワーク接続を通じて受信され得る。いくつかの実施形態では、文書解析要求は、複数のセグメントで受信され得る。いくつかの実施形態では、金融サービスモジュール２４６は、文書解析の要求を文書解析サーバ１１０の文書解析エンジン２６６に伝送することができる。
【００６５】
ブロック４１０では、文書解析サーバ１１０の文書解析エンジン２６６は、文書１０６の画像から金融情報を取得することを容易にすることができる。いくつかの実施形態では、文書解析エンジン２６６は、文書解析の要求から文書１０６の画像を取得することができる。文書解析エンジン２６６は、文書１０６の画像を含むことができる解析の要求を生成することができる。解析の要求は、光学的文字認識（ＯＣＲ）を使用して、文書１０６の画像を処理することであり得る。要求は、金融サービスサーバ１０８に伝送され得る。金融サービスサーバ１０８は、解析の要求を受信すること、ＯＣＲを使用して、文書１０６の画像を処理すること、文書１０６の画像から、小切手に関するルーティングおよび口座番号などの情報を取得することができる。いくつかの実施形態では、金融サービスサーバ１０８は、文書の画像から取得された情報を使用して、応答を生成すること、および文書解析エンジン２６６に応答を伝送することができる。例えば、応答は、取得された情報が、さらなる処理で使用され得るように、文書解析エンジン２６６に送られることができる。
【００６６】
いくつかの実施形態では、文書解析サーバ１１０の文書解析エンジン２６６は、光学的文字認識（ＯＣＲ）を使用して、文書１０６の画像からの情報を識別することができる。例えば、文書１０６が小切手である場合には、情報には、ルーティング番号および口座番号などの、金融情報が含まれ得る。いくつかの実施形態では、文書解析サーバ１１０の文書解析エンジン２６６は、ＯＣＲを使用して情報を識別するために、文書１０６の画像をＯＣＲサーバに伝送することができる。次いで、ＯＣＲサーバは、もとの金融サービスモジュール２４６へ情報を伝送することができる。いくつかの実施形態では、ＯＣＲサーバは、文書解析サーバ１１０と連動して作動され得る。いくつかの実施形態では、ＯＣＲサーバは、システムアーキテクチャの外側の第三者によって作動され得る。
【００６７】
いくつかの実施形態では、情報は、ユーザデバイス１０４から受信され得る。いくつかの実施形態では、ユーザデバイス１０４は、ユーザデバイス１０４と通信しているモバイル機器から、情報を取得することができる。例えば、第２のユーザ１０２によって作動されたモバイルデバイスは、ユーザデバイス１０４と通信していることができる。例えば、ユーザデバイス１０４は、小売商人によって作動されることができ、第２のユーザ１０２は、小売商人の顧客であり得る。モバイルデバイスの例には、高度自動機能電話、タブレット、ラップトップ、高性能な腕時計、装着型技術等が含まれ得るが、これらに限定されるわけではない。モバイルデバイスは、ブルートゥース（登録商標）、ＲＦ、Ｗｉ−Ｆｉ、または他の型の通信リンクを使用して、ユーザデバイス１０４と通信していることができる。いくつかの実施形態では、モバイルデバイス上で実行しているアプリケーションは、第２のユーザと関連付けられた情報をユーザデバイス１０４に通知することができる。いくつかの実施形態では、情報は、暗号化メッセージで、モバイルデバイスからユーザデバイス１０４に伝送され得る。いくつかの実施形態では、アプリケーションは、デジタルウオレット、商人アプリケーション、銀行アプリケーション等であり得る。第２のユーザ１０２は、アプリケーションに情報を提供することができる（例えばアプリケーションに情報を打ち込む）、または第２のユーザ１０２が、アプリケーションに署名して、ユーザデバイス１０４に情報を転送することを開始することで、情報は、アプリケーションから伝送され得る。いくつかの実施形態では、モバイルデバイスのアプリケーションから情報を取得することは、文書の画像から情報を取得することに連動している場合がある。いくつかの実施形態では、第２のユーザ１０２は、ユーザデバイス１０４から金融口座（例えば銀行口座、クレジットカード口座等）にログインすることができる、次いで、ユーザデバイス１０４は、第２のユーザ１０２が、ユーザデバイス１０４にログイン証明書を提供した後、口座から情報を取得することができる。
【００６８】
ブロック４１５では、文書解析サーバ１１０の文書解析エンジン２６６は、文書解析要求からデータを取得することができる。例えば、文書解析サーバ１１０の文書解析エンジン２６６は、ユーザ情報、商人情報、取引情報等を識別する要求を解析することができる。いくつかの実施形態では、文書解析サーバ１１０の文書解析エンジン２６６は、文書１０６からの情報または文書解析要求からの情報を使用して、１つまたは複数のデータストア１１２から追加的な情報を取得するおよび／または読み出すことができる。例えば、文書解析サーバ１１０の文書解析エンジン２６６は、ユーザ１０２と関連付けられた取引履歴を取得することができる。取引履歴は、ユーザ１０２によって開始された取引を含むことができる。文書解析サーバ１１０の文書解析エンジン２６６は、ユーザに、以前否定的な取引（例えば資金不足理由の戻り小切手等）があったかどうか、ユーザ１０２が、商人と良い状態にあるかどうか、および／または他の要素を識別するために、取引履歴を解析することができる。
【００６９】
ブロック４２０では、文書解析サーバ１１０の文書解析エンジン２６６は、文書からの情報およびユーザ識別データを処理することができる。文書解析サーバ１１０の文書解析エンジン２６６は、文書と関連付けられた勧告を生成することができる。例えば、文書解析サーバ１１０の文書解析エンジン２６６は、文書１０６が承認されるかどうかを決定するのに１つまたは複数の規則を適用することができる。いくつかの実施形態では、決定は、ユーザ情報、金融情報、および／または追加情報に基づくことができる。追加的に、文書解析サーバ１１０の文書解析エンジン２６６は、文書に関係している可能性のある履歴データと関連付けられたデータを記憶することができる１つまたは複数のデータストア１１２にアクセスすることができる。例えば、履歴データには、文書が小切手である場合の、資金不足理由で戻された小切手などのいかなる否定的な関係性も、文書１０６の口座と関連付けられたいかなる未払いまたは否定的な手形等も含まれ得る。文書解析サーバ１１０の文書解析エンジン２６６は、文書１０６が、自体と関連付けられた何らかの履歴データ（例えば肯定的または否定的な）を有しているかどうかを決定することができる。いくつかの実施形態では、文書１０６と関連付けられた履歴データがない場合には、文書解析サーバ１１０の文書解析エンジン２６６は、文書１０６が、使用すること（例えば小切手に資金提供すること）が安全である見込みがあるのか、それとも文書１０６と関連付けられた高リスクが存在しているのかどうかの確率を決定するために、ユーザ１０２または関連団体（例えば取引の商人）と関連付けられた情報を解析することができる。
【００７０】
決定ブロック４２５で、文書解析サーバ１１０の文書解析エンジン２６６が、文書１０６が承認（例えば資金供給されるように承認）されないと決定する場合、次いで、方法は、文書解析サーバ１１０の文書解析エンジン２６６が、拒否を含むメッセージを生成して、ユーザデバイス１０４に伝送することができるブロック４３０へ進むことができる。ブロック４２５で、文書解析サーバ１１０の文書解析エンジン２６６が、文書１０６が承認される（例えば小切手に資金提供するように）と決定する場合、次いで、方法は、ブロック４３５へ進むことができる。
【００７１】
ブロック４３５では、文書解析サーバ１１０の文書解析エンジン２６６は、文書１０６の承認に基づいて、取引の決済を開始する（例えば小切手と関連付けられた口座からの資金が、商人の口座へ転送された時点で、取引は、完了され得る）。文書解析エンジン２６６は、文書１０６からの情報を使用して取引を完了させるために通知またはメッセージを金融サービスモジュール２４６に伝送することができる。
【００７２】
ブロック４４０では、文書解析サーバ１１０の文書解析エンジン２６６は、文書１０６が承認されたことを示すメッセージを含むメッセージを生成して、ユーザデバイス１０４に伝送することができる。
【００７３】
以上図示説明したオペレーションおよびプロセスは、さまざまな実施例で所望されるどのような適した順序でも実行されるまたは行われることができる。さらに、ある種の実施例では、オペレーションの少なくとも一部は、同時に実行され得る。その上、ある種の実施例では、説明したものよりも少ないまたは多いオペレーションが行なわれる場合もある。
【００７４】
さまざまな実施例による、システムのブロックおよび流れ図、方法、装置、および／またはコンピュータプログラム製品を参照しながら、本開示のある種の態様を上述した。ブロック図および流れ図の１つまたは複数のブロック、およびブロック図および流れ図の中のブロックの組合せはそれぞれ、コンピュータ実行可能プログラム命令によって実施され得ることを理解されたい。同様に、いくつかの実施例によって、ブロック図および流れ図のいくつかのブロックは、必ずしも提示された順序で行なわれる必要はない場合もある、または必ずしも全て行なわれる必要はない場合もある。
【００７５】
コンピュータ、プロセッサ、または他のプログラム可能データ処理装置上で実行する命令が、１つまたは複数の流れ図ブロックに特定された１つまたは複数の機能を実施する手段を生み出すように、これらのコンピュータ実行可能プログラム命令は、特有の機械を生産するために、特殊目的コンピュータまたは他の特有の機械、プロセッサ、または他のプログラム可能データ処理装置上にロードされ得る。コンピュータ可読記憶媒体の中に記憶された命令が、１つまたは複数の流れ図ブロックに特定された１つまたは複数の機能を実施する命令手段を含む製品を生産するように、これらのコンピュータプログラム命令は、さらに、コンピュータまたは他のプログラム可能データ処理装置に特有の様式で機能するように指示することができるコンピュータ可読の記憶媒体またはメモリの中に記憶され得る。一例として、ある種の実施例は、コンピュータ可読プログラムコードまたはそこで実施されるプログラム命令を有するコンピュータ可読記憶媒体を備えるコンピュータプログラム製品を提供することができ、前記コンピュータ可読プログラムコードは、１つまたは複数の流れ図ブロックに特定された１つまたは複数の機能を実施するために実行されるように構成される。コンピュータまたは他のプログラム可能装置上で実行する命令が、１つまたは複数の流れ図ブロックに特定された機能を実施するための要素またはステップを提供するように、コンピュータプログラム命令は、さらに、コンピュータまたは他のプログラム可能装置上で行なわれる一連の演算要素またはステップに、コンピュータ実施プロセスを生成させるために、コンピュータまたは他のプログラム可能データ処理装置にロードされ得る。
【００７６】
したがって、ブロック図および流れ図のブロックは、特定の機能を行なうための手段の組合せ、特定の機能を行なうための要素またはステップの組合せ、および特定の機能を行なうためのプログラム命令手段を支援する。ブロック図および流れ図の各ブロック、およびブロック図および流れ図のブロックの組合せは、特定の機能を行なう、特殊目的ハードウェアベースのコンピュータシステム、要素もしくはステップ、または特殊目的ハードウェアおよびコンピュータ命令の組合せによって実施され得ることを、さらに理解されたい。
【００７７】
とりわけ、「できる（ｃａｎ）」、「あり得る（ｃｏｕｌｄ）」、「かもしれない（ｍｉｇｈｔ）」、または「場合がある（ｍａｙ）」などの条件的言語は、特に別段述べられない限り、または使用されるコンテクストの範囲内で別の方法で理解されない限り、ある種の実施例は、ある種の特徴、要素、および／またはオペレーションを含むことができ、一方で、他の実施例は、ある種の特徴、要素、および／またはオペレーションを含んでいないということを伝達するように、一般的には意図されている。したがって、当該条件的言語は、特徴、要素、および／またはオペレーションが、いかなる形であれ、１つまたは複数の実施例に必要であること、または１つまたは複数の実施例が、これらの特徴、要素、および／またはオペレーションが、何らかの特有の実施例において、含まれるのか、それとも行なわれることになるのかを、ユーザ入力の有無にかかわらず決める、または促す論理を必然的に含むことを意味するようには、一般的には意図されていない。
【００７８】
本明細書において説明された本開示の多くの変型形態および他の実施例が、前述の説明および関連付けられた図面に提示された教示から便益を得ることは明らかであろう。したがって、本開示は、開示された特定の実施例に限定されるものではなく、変型形態および他の実施例は、添付の請求の範囲に含まれるものと意図されていることを理解されたい。本明細書には特異的な用語が使用されているが、それらは、包括的および説明的な感覚で使用されているにすぎず、限定するためのものではない。
【図１】
2018530832.tif 000003
【図２】
2018530832.tif 000004
【図３】
2018530832.tif 000005
【図４】
2018530832.tif 000006
【国際調査報告】
2018530832.tif 000007
2018530832.tif 000008